(57)【要約】      （修正有）【課題】載せ台に対する荷重が、決められた以上になると、転がり軸受けが働き、当該載せ台の回転が止まり、安全を確保するターンテーブルを提供する。【解決手段】ケーシングに設けたインバータ、タイマーで回転数と稼動時間を制御するモーターの出力軸に回転板を固定し、回転板の上にベアリングを介在して載せ台を設け、回転板の回転を、ベアリングを介して、載せ台に伝達するとともに、回転伝達を、ベアリングの内外レースの上下差による空間を利用し、遮断可能とする構成としたターンテーブルである。異常荷重で、載せ台が停止し、安全性が確保されている。【選択図】図１
0003162778.tif 000002
【実用新案登録請求の範囲】
【請求項１】
ケーシングに設けたモーターの出力軸に回転板を固定し、この回転板の上にベアリングを介在して載せ台を設け、この回転板の回転を、前記ベアリングを介して、前記載せ台に伝達するとともに、この回転伝達を、このベアリングの内外レースの上下差による空間を利用し、遮断可能とする構成としたターンテーブル。
【請求項２】
請求項１に記載のターンテーブルにおいて、
前記ベアリングは、内外レールと、多数の球体とで構成し、この内レールを、前記載せ台に支持するとともに、この内レースを、前記回転板から離間し、また、前記外レールを、この載せ台より離間する構成としたターンテーブル。
【請求項３】
請求項１に記載のターンテーブルにおいて、
前記ベアリングは、その内レースを、前記載せ台に取付け、この載せ台に支持する構成とするとともに、このベアリングは、前記回転板に載架する際に、この内レースの下面が、この回転板の上面より離間する構成としたターンテーブル。
【請求項４】
請求項１に記載のターンテーブルにおいて、
前記出力軸に、連結駒を差込み、この連結駒を、前記回転板の嵌合穴に嵌合し、この出力軸の回転を、この回転板に伝達する構成としたターンテーブル。
【請求項５】
請求項４に記載のターンテーブルにおいて、
前記連結駒は、方形状の樹脂板部、板状の滑り面と、金属製の取付杆とで構成し、この樹脂板部、滑り面と、取付杆を溶着固止する構成としたターンテーブル。
【考案の詳細な説明】
【技術分野】
【０００１】
本考案は、ターンテーブル（ラウンドテーブル、回転テーブル）に関する。
【背景技術】
【０００２】
この種のターンテーブルは、商品用陳列台・鑑賞用展示台（展示物テーブル）、又はショウウインドウ展示台・看板用展示台・回転イルミティション展示台（展示台テーブル）とか、ワーク作業台・塗装作業台（作業テーブル）、又は料理品と食材用載置台（載せ台）として重宝される。そして、一般的に、ターンテーブルは安全性に対して考慮が少なく、又は安全装置が不要であるとの考えが主流である。しかしながら、このターンテーブルは、前述の如く、展示物テーブルとか、作業用テーブル等に於いては、展示品への接触による事故、又は不可抗力による負荷とか、異常な荷重（トルク）があっても、テーブルが回転する。従って、例えば、人体の回転台及び／又はワークへの接触等に基く事故、ワークの損傷等があり得る。
【０００３】
そして、このような場合において、展示品の落下防止と、ワーク転倒防止、又は事故による巻込み防止等を回避することが望ましく、殊に、これらが発生する要因、即ち、異常荷重を予め発見するか、又は展示物の変化を見識し、早急な対応を図ることが要求される。この対応で、例えば、大事故の防止と、不良品の発生防止、展示品の損傷防止等が図れる有益性が確保できる。
【０００４】
上記に鑑み、回転停止が図れ、結果的に、安全性が確保されるであろう、先行文献を、以下に説明する。
【０００５】
文献（１）は、実開昭６２−１６９６３６号の「コンピュータ機器用机」は、天板に設けた対の円形レールと、多数の球体とを利用して回転板を設置し、この回転板の上に、前後動する台板を設けた構造であり、この台板の上に、コンピュータ機器を設置する構造である。そして、この構造を利用して、コンピュータ機器を、使用者に最適な位置にセットすることを意図する。しかし、この考案は、回転板の回転を、対の円形レールと、多数の球体とで確保するものであり、この回転板に、余分のトルク、又は荷重が掛かった場合においても、この回転板の回転は停止する機構ではない。従って、回転板の安全性は担持されてはいないので、問題である。
【０００６】
また、文献（２）は、実開昭６３−５７９５２号の「レジスター回転台」は、支持台に埋設設置した複数個のベアリング軸受けを介して、回転台を軸支した構造であり、この回転台に載架されたレジスターを、少なくとも、二方向から利用することを意図する。しかし、この考案は、回転台の回転を、ベアリング軸受けで確保するものであり、この回転台に、余分のトルク、又は荷重が掛かった場合においても、この回転台の回転は停止する機構ではない。従って、回転台の安全性は担持されてはいないので、問題である。
【０００７】
さらに、同様な構造として、文献（３）の、実公昭４９−４２４０４号の「食卓板受台」の回転機構と、文献（４）の、実開昭５９−８４９７１号の「回転テレビ台等の結合装置」の回転機構と、がある。
【０００８】
【特許文献１】実開昭６２−１６９６３６号
【特許文献２】実開昭６３−５７９５２号
【特許文献３】実公昭４９−４２４０４号
【特許文献４】実開昭５９−８４９７１号
【考案の概要】
【考案が解決しようとする課題】
【０００９】
この文献（１）〜（４）においては、回転板とか、回転台等の回転板（回転板とする）は、余分のトルク、又は荷重が掛かった場合においても、この回転板の回転は停止する機構ではない。従って、回転板の安全性は担持されてはいないので、問題である。また、この文献（１）〜（４）においては、ベアリング軸受け機構には、安全性を確保するための回転停止機構を備えておらず、その改良が望まれる処である。さらに、この文献（１）〜（４）においては、各部材の連結部の、容易な組付け・分解できる構造とは考えられず、例えば、組付け、分解の容易化と、単純化が図れないこと、コストの上昇を招来すること、等の改良点が考えられる。
【００１０】
そこで、本願考案は、下記の特性と有益性等を発揮すること意図する。
「イ」  安全装置は、トルクリミッターとしての役割と、載せ台のスリップの役割を達成できる構造の転がり軸受け（ベアリング機構と、その取付け機構）を採用して、この載せ台に対する荷重が、決められた以上になると、この構造の転がり軸受けが働き、当該載せ台の回転が止まり、安全を確保する。
「ロ」  使用目的により移動し易く、又は分解、組付けが、簡単かつ容易であり、さらに多様化が図れること、又は必要により、制御の遠隔化を図ること等も意図する。
「ハ」  ターンテーブル（回転するもの）について、最も要求される、例えば、安全性であるが、この目的を担持するために、それぞれの回転部を、簡単な機構で達成しつつ、かつ装置全体を、軽量化、単純化を図り、かつ故障発生を失くすこと、等を重視する。
「ニ」  本体全体は、軽量材料により形成され軽量も大きな要素です、制御においては、回転変速・目標設定回転を、例えば、ダイヤル式を採用し、装置と操作の簡素化・時間設定の容易化を図ること、又は必要により、この時間設定は、４段階のタイマーを使用し、簡便化と、誤操作を回避すること、等を意図する。
【課題を解決するための手段】
【００１１】
請求項１の考案は、以下の点を目的とする。
「ａ」  ターンテーブルに、安全装置を付け、例えば、その中で載せ台上のワークに、必要以上の重荷、若しくは、トルクが負荷される時点で、この載せ台の回転を止めて、安全性の確保と、ワーク等の商品を保護すること。
「ｂ」  ターンテーブルは、それぞれのパーツ（回転板、載せ台、又は動力連結機構）を組立て構造とすることで、この各パーツを、容易に分離、組立とすること、又は展示物の取替え、又は作業内容の変更等の際に、分解、組付けが可能な簡素な構造を提供すること。
「ｃ」  モーターは、インバータ、及び／又は、タイマーを介して、その回転数と稼動時間を制御する構造とし、この回転数と稼動時間を、自由に変更可能とし、このターンテーブルの利用範囲を拡充すること。
「ｄ」  ケーシングと、回転板、及び／又は、載せ台等を、軽量な安定した材質（アルミ・樹脂）を使用して軽量化、移動の容易化、並びに安全性に貢献すること。
【００１２】
請求項１は、ケーシングに設けたインバータ、及び／又は、タイマーを介して、その回転数と稼動時間を制御するモーターの出力軸に回転板を固定し、この回転板の上にベアリングを介在して載せ台を設け、この回転板の回転を、前記ベアリングを介して、前記載せ台に伝達するとともに、この回転伝達を、このベアリングの内外レースの上下差による空間を利用し、遮断可能とする構成としたターンテーブルである。
【００１３】
請求項２・３の考案は、前記「ａ」〜「ｄ」の他に、以下の点を目的とする。
「ｅ」  安全装置は、トルクリミッターとしての役割と、載せ台のスリップの役割を達成できる構造の転がり軸受け（ベアリング機構と、その取付け機構）を採用して、この載せ台に対する荷重が、決められた以上になると、この構造の転がり軸受けが働き、当該載せ台の回転が止まり、安全を確保すること。
【００１４】
請求項２は、請求項１に記載のターンテーブルにおいて、
前記ベアリングは、内外レールと、多数の球体とで構成し、この内レールを、前記載せ台に支持するとともに、この内レースを、前記回転板から離間し、また、前記外レールを、この載せ台より離間する構成としたターンテーブルである。
【００１５】
請求項３は、請求項１に記載のターンテーブルにおいて、
前記ベアリングは、その内レースを、前記載せ台に取付け、この載せ台に支持する構成とするとともに、このベアリングは、前記回転板に載架する際に、この内レースの下面が、この回転板の上面より離間する構成としたターンテーブルである。
【００１６】
請求項４の考案は、前記「ａ」〜「ｄ」の他に、以下の点を目的とする。
「ｆ」  回転板の回転機構は、カム方式として把握できる、大きな嵌合面を備えた方形状の連結駒と、回転板の嵌合穴との嵌合（連繋）構造とし、確実な伝達力の発生と、ガタ防止と、安全な伝達を図ること。
【００１７】
請求項４は、請求項１に記載のターンテーブルにおいて、
前記出力軸に、連結駒を差込み、この連結駒を、前記回転板の嵌合穴に嵌合し、この出力軸の回転を、この回転板に伝達する構成としたターンテーブルである。
【００１８】
請求項５の考案は、前記「ａ」〜「ｄ」の他に、以下の点を目的とする。
「ｇ」  回転板の回転機構を構成する、カム方式で、大きな嵌合面を備えた方形状の連結駒と、この連結駒に設けた取付杆を一体化するに最適な構造を提案すること。
【００１９】
請求項５は、請求項４に記載のターンテーブルにおいて、
前記連結駒は、方形状の樹脂板部、板状の滑り面と、金属製の取付杆とで構成し、この樹脂板部、滑り面と、取付杆を溶着固止する構成としたターンテーブルである。
【考案の効果】
【００２０】
請求項１の考案は、ケーシングに設けたインバータ、及び／又は、タイマーを介して、その回転数と稼動時間を制御するモーターの出力軸に回転板を固定し、回転板の上にベアリングを介在して載せ台を設け、回転板の回転を、ベアリングを介して、載せ台に伝達するとともに、回転伝達を、ベアリングの内外レースの上下差による空間を利用し、遮断可能とする構成としたターンテーブルである。
【００２１】
従って、請求項１は、以下の点に特徴がある。
「ａ」  ターンテーブルに、安全装置を付け、例えば、その中で載せ台上のワークに、必要以上の重荷、若しくは、トルクが負荷される時点で、この載せ台の回転を止めて、安全性の確保と、ワーク等の商品を保護できること。
「ｂ」  ターンテーブルは、それぞれのパーツ（回転板、載せ台、又は動力連結機構）を組立て構造とすることで、この各パーツを、容易に分離、組立できること、又は展示物の取替え、又は作業内容の変更等の際に、分解、組付けが可能な簡素な構造を提供できること。
「ｃ」  モーターは、インバータ、及び／又は、タイマーを介して、その回転数と稼動時間を制御する構造とし、この回転数と稼動時間を、自由に変更可能とし、このターンテーブルの利用範囲を拡充できること。
「ｄ」  ケーシングと、回転板、及び／又は、載せ台等を、軽量な安定した材質（アルミ・樹脂）を使用して軽量化、移動の容易化、並びに安全性に貢献できること。
【００２２】
請求項２の発明は、請求項１に記載のターンテーブルにおいて、
ベアリングは、内外レールと、多数の球体とで構成し、内レールを、載せ台に支持するとともに、内レースを、回転板から離間し、また、外レールを、載せ台より離間する構成としたターンテーブルである。
【００２３】
請求項３の考案は、請求項１に記載のターンテーブルにおいて、
ベアリングは、内レースを、載せ台に取付け、載せ台に支持する構成とするとともに、ベアリングは、回転板に載架する際に、内レースの下面が、回転板の上面より離間する構成としたターンテーブルである。
【００２４】
従って、請求項２・３の考案は、前記「ａ」〜「ｄ」の他に、以下の点を特徴とする。
「ｅ」  安全装置は、トルクリミッターとしての役割と、載せ台のスリップの役割を達成できる構造の転がり軸受け（ベアリング機構と、その取付け機構）を採用して、この載せ台に対する荷重が、決められた以上になると、この構造の転がり軸受けが働き、当該載せ台の回転が止まり、安全を確保できること。
【００２５】
請求項４の考案は、請求項１に記載のターンテーブルにおいて、
出力軸に、連結駒を差込み、連結駒を、回転板の嵌合穴に嵌合し、出力軸の回転を、回転板に伝達する構成としたターンテーブルである。
【００２６】
従って、請求項４は、前記「ａ」〜「ｄ」の他に、以下の点を特徴とする。
「ｆ」  回転板の回転機構は、カム方式として把握できる、大きな嵌合面を備えた方形状の連結駒と、回転板の嵌合穴との嵌合（連繋）構造とし、確実な伝達力の発生と、ガタ防止と、安全な伝達が図れること。
【００２７】
請求項５の考案は、請求項４に記載のターンテーブルにおいて、
連結駒は、方形状の樹脂板部、板状の滑り面と、金属製の取付杆とで構成し、樹脂板部、滑り面と、取付杆を溶着固止する構成としたターンテーブルである。
【００２８】
従って、請求項５の考案は、前記「ａ」〜「ｄ」の他に、以下の点を特徴とする。
「ｇ」  回転板の回転機構を構成する、カム方式で、大きな嵌合面を備えた方形状の連結駒と、この連結駒に設けた取付杆を一体化するに最適な構造を提案できること。
【図面の簡単な説明】
【００２９】
【図１】ターンテーブルの俯瞰図
【図２】ターンテーブルの断面図
【図３】ターンテーブルを分解して示した一部欠截の俯瞰図
【図４】ターンテーブルを分解して示した仰視図
【図５】ターンテーブルの回転板とモーター、並びにケーシングと、スイッチ機構とを示した拡大仰視図
【図６】ターンテーブルの回転板と、連結駒との関係を分解して示した要部拡大俯瞰図
【図７−１】ターンテーブルの載せ台の裏面図
【図７−２】ターンテーブルの載せ台の要部の拡大断面図
【図７−３】図７−１の要部の拡大裏面図
【図８】ターンテーブルの使用状態の一例を示した模式図
【考案を実施するための形態】
【００３０】
以下、本考案の一実施例を説明すると、１はアルミ製のケーシングで、このケーシング１は、スイッチ２、タイマー３と、電源ランプ４、並びに速度調整スイッチ５とを備えたケース１００を備えており、また、モーター６を収納するスペース１０１を備えている。そして、このモーター６は、支持板８に止め具９を介して固定されており、この支持板８に開設した小孔８００には、モーター６の出力軸６００が突設される構造である。また、前記スペース１０１に被嵌される盲板１０には、穴１０００を開設するとともに、この穴１０００の周辺に環状壁１００１を突設し、この環状壁１００１に、前記支持板８を取付けることで、前記モーター６が、ケーシング１のスペース１０１内に架承支持される構造である。そして、本考案は、遠隔操作、自動操作も可能であり、殊に、商品陳列用では重宝する。またケース１００は、図示しないが、建柱、構造物に個別に設けることも可能である。
【００３１】
図中１１はそれぞれコードを示す。
【００３２】
前記支持板８には、カム方式として把握できる、大きな嵌合面１３ａを備えた方形状でなる滑り面１３０２を備えた連結駒１３（連結カム）を設ける。そして、この連結駒１３の中心に設けた取付杆１５は、前記支持板８より突出したモーター６の出力軸６００に嵌着される。この嵌着を確保するために止め具１４を連結駒１３に螺入する。尚、連結駒１３は、方形状の樹脂板部１３０１、板状の滑り面１３０２と、金属製の取付杆１５とで構成し、樹脂板部１３０１、滑り面１３０２と、取付杆１５とを溶着固止する構成を採用し、一体化に最適な手法を採用する。
【００３３】
図中２０は回転板で、この回転板２０の中心には、前記連結駒１３の樹脂板部１３０１が挿嵌される方形状の嵌合穴２０００が開設されており、この嵌合穴２０００には、出力軸６００に嵌着された連結駒１３が嵌着されることで、モーター６の回転が回転板２０に伝達される構造である。即ち、モーター６の回転が、回転板２０に伝達され、かつこのスピードは、前記速度調整スイッチ５で制御される。また、タイマー３で、その回転時間が制御される。
【００３４】
また、２２は載せ台で、この載せ台２２は回転板２０より大径を基本とし、この載せ台２２が安全に停止することと、この停止時において、回転板２０が回転時において、安全性が確保（担持）されるための、一つの要素である。この載せ台２２の下面２２ａには、ベアリング２３を設ける構造であるが、この例では、内レース２３００を、載せ台２２の下面２２ａに固止し、この内レース２３００に設けた多数の球体２３０１を介して、外レース２３０２を、この下面２２ａより離間Ｓ１（隙間）して設ける。そして、この載せ台２２を、回転板２０に載架した際に、外レース２３０２が回転板２０の上面２０ａに接触するが、内レース２３００の下面２３００ａは、回転板２０の上面２０ａより離間Ｓ２（隙間）する構成である。従って、回転板２０の回転は、接触する外レース２３０２から、球体２３０１を介して、内レース２３００に伝わり、この内レース２３００が取付けられている載せ台２２を回転する構造である。一方、この載せ台２２、又は商品Ｗ（ワーク）に対する荷重が、決められた以上になるか、若しくは、決められた以上にトルクが負荷されると、球体２３０１と、内レース２３００、及び／又は、外レース２３０２とのスリップが作用し、載せ台２２への回転伝達が遮断されることから、商品Ｗの保護と、安全性が確保される構造である。勿論、この荷重、負荷が無くなると、載せ台２２は、再び回転を始める。
【００３５】
この載せ台２２は、取付杆１５に設けた螺孔１５００に螺着した止め具２５に、ワッシャー２６とナット２７を介して遊嵌されている。従って、少なくとも、この載せ台２２に、荷重等が掛かっても、この止め具２５の回転が、載せ台２２には伝わらない構造となっている（載せ台２２を、止め具２５に遊嵌する）。
【００３６】
このターンテーブルの組付けの一例を説明すると、ケーシング１には、盲板１０と、この盲板１０に設けられたモーター６付の支持板８を取付ける。そして、このモーター６の出力軸６００に連結駒１３を取付けた後に、この連結駒１３に、回転板２０の嵌合穴２０００を被嵌し、支持板８の上に、連結駒１３の滑り面１３０２が、僅か摺設した状態で、この回転板２０が取付けられる。従って、モーター６の回転が、回転板２０に伝えられる。この回転板２０には、ベアリング２３を備えた載せ台２２を載架した後、この載せ台２２を、ナット２７、ワッシャー２６と、取付杆１５に螺着した止め具２５で取付けるとともに、この止め具２５に遊嵌する構造である。尚、取外しは、組付けの逆の操作がよい。
【符号の説明】
【００３７】
１            ケーシング
１００        ケース
１０１        スペース
２            スイッチ
３            タイマー
４            電源ランプ
５            速度調整スイッチ
６            モーター
６００        出力軸
８            支持板
８００        小孔
９            止め具
１０          盲板
１０００      穴
１００１      環状壁
１１          コード
１３          連結駒
１３ａ        嵌合面
１３０１      樹脂板部
１３０２      滑り面
１４          止め具
１５          取付杆
１５００      螺孔
２０          回転板
２０ａ        上面
２０００      嵌合穴
２２          載せ台
２２ａ        下面
２３          ベアリング
２３００      内レース
２３０１      球体
２３０２      外レース
２５          止め具
２６          ワッシャー
２７          ナット
Ｓ１          離間
Ｓ２          離間
Ｗ            商品
【図１】
0003162778.tif 000003
【図２】
0003162778.tif 000004
【図３】
0003162778.tif 000005
【図４】
0003162778.tif 000006
【図５】
0003162778.tif 000007
【図６】
0003162778.tif 000008
【図７−１】
0003162778.tif 000009
【図７−２】
0003162778.tif 000010
【図７−３】
0003162778.tif 000011
【図８】
0003162778.tif 000012